【事件の表示】
　平成１１年特許願第２６６０５２号「メモリカード及びその制御装置、データ送受信システム」拒絶査定不服審判事件〔平成１２年　４月　７日出願公開、特開２０００−　９９６７６〕について、次のとおり審決する。
【結　論】
　本件審判の請求は、成り立たない。
【理　由】
１．手続の経緯
　本願は、平成９年６月４日に出願した特願平９−１４６９１３号の一部を平成１１年９月２０日に新たな特許出願としたものであって、平成１５年３月１２日付けで拒絶理由通知がなされ、同年５月１９日付けで手続補正がなされたが、平成１６年６月７日付けで拒絶査定がなされ、これに対し、同年７月１５日に拒絶査定に対する審判請求がなされるとともに、同年８月１６日付けで手続補正がなされたものである。
　
２．平成１６年８月１６日付けの手続補正についての補正却下の決定
［補正却下の決定の結論］
　平成１６年８月１６日付けの手続補正を却下する。
　
［理由］
（１）補正後の請求項１に係る発明
　本件手続補正により、特許請求の範囲の請求項１は、
「制御装置から送信されるデータを記憶するメモリカードにおいて、
　上記制御装置から送信されたデータを記憶する記憶手段と、
　上記記憶手段へのデータの書込を禁止するか否か設定可能なスイッチと、
　上記制御装置から送信される命令に応じて所定の制御を行う制御手段とを備え、
　上記制御手段は、上記スイッチの状態が書込禁止状態に設定されていること、又は書込禁止状態に設定されていないことを示す内容がセットされるレジスタを有し、上記制御装置からファイルの記録開始前に発行される上記スイッチの状態を読み出す状態読出命令に応じて、上記スイッチの状態を示す上記レジスタの内容を上記制御装置に送信し、
　上記スイッチが書込禁止に設定されている場合には、上記制御装置から上記記憶手段に書き込むデータが送信されず書込禁止処理が行なわれ、
　上記スイッチが書込禁止に設定されていない場合には、上記制御装置から上記記憶手段に書き込むデータを受信し、上記制御装置から上記データを上記記憶手段に書き込む命令を受信し、上記データを上記記憶手段に書き込む処理を行い、上記制御装置から送信されるデータが上記記憶手段に書き込まれた後続きのデータがあるときは、スイッチの状態を確認することなく、該続きのデータが上記制御装置から送信されることを特徴とするメモリカード。」
に補正された。
　上記補正は、請求項１に記載した発明を特定するために必要な事項である「スイッチの状態を読み出す状態読出命令」の発行される時期を「ファイルの記録開始前」に限定し、また、「制御装置から送信されるデータ」に関し、「上記制御装置から送信されるデータが上記記憶手段に書き込まれた後続きのデータがあるときは、スイッチの状態を確認することなく、該続きのデータが上記制御装置から送信される」ことを限定するものであって、特許法第１７条の２第４項第２号の特許請求の範囲の減縮を目的とするものに該当する。
　そこで、本件手続補正後の上記請求項１に係る発明（以下、「本願補正発明」という。）が特許出願の際独立して特許を受けることができるものであるか（特許法第１７条の２第５項において準用する同法第１２６条第５項の規定に適合するか）について、以下に検討する。
　　
（２）引用例
　原査定の拒絶の理由に引用された特開昭６２−１７９０３７号公報（以下、「引用例１」という。）、及び特開平５−１７３８８８号公報（以下、「引用例２」という。）には、それぞれ、図面とともに次の事項が記載されている。
　
（引用例１）
Ａ．「２．特許請求の範囲
（１）データ処理装置に着脱自在で書込み可能なメモリ素子を内蔵するメモリカードにおいて、利用者が任意に前記メモリ素子への書込みを許可または禁止状態に設定可能な書込み保護スイッチと、前記書込み保護スイッチが書込み禁止の状態にあるとき、データ処理装置から前記メモリ素子への書込み要求が発生しても前記メモリ素子への書込みを禁止する書込み保護回路を内蔵することを特徴とするメモリカード。 
（２）上記書込み保護スイッチが示す状態をデータ処理装置から参照することにより書込み保護の状態をあらかじめ知り得ることを特徴とする特許請求の範囲第１項記載のメモリカード。」（第１頁左下欄第４〜１７行） 
　
Ｂ．「第１図は本発明の実施例であるメモリカードの外観を示す図である。図において、１はメモリカード本体で、この内部にメモリチップ、インタフェース回路、バックアップ用電池およびプリント基板が実装されている。２は図示せぬデータ処理装置と本メモリカードを接続するためのカードエッジ型コネクタである。このコネクタ部２をデータ処理装置側コネクタに差込むことによりデータ処理装置からメモリカードをアクセスすることができる。３は本発明により付加される書込み保護スイッチで、メモリカードに内蔵されるメモリに対してデータ処理装置から書込みを許可するかどうかを選択指定するスイッチである。
　第２図は、メモリカードの内部構成例をブロック図として示したものである。インタフェースゲートアレイ
１１
　ここで、データ処理装置本体とのインタフェース信号につき簡単に付す。まず、ＤＴ０−ＤＴ７（ＤＡＴＡ）は、８ビットの双方向データ信号である。本体はこの信号を介してメモリの読出し／書込み、および、アドレスカウンタ１０１〜１０３の読出し／書込みを行なう。ＡＤ０−ＡＤ１（ＡＤＤＲＥＳＳ）は、メモリカード内の入出力ポートを選択するためのアドレス信号である。ＲＤ（ＲＥＡＤ）は、メモリカードから読出しを行なう際に出力される信号である。ＷＲ（ＷＲＩＴＥ）はメモリカードに対して書込みを行なう際に出力される信号である。ＣＳ（ＣＡＲＤ　ＳＥＬＥＣＴ）は、メモリカードに対する選択信号である。本体はメモリカードをアクセスする場合、この信号を出力しなければならない。ＣＥ（ＣＡＲＤ　ＥＮＡＢＬＥ）は、メモリカードに対して動作を有効にする信号である。この信号はメモリカード内の電源制御回路１３から入力される。ＷＰ（ＷＲＩＴＥ　ＰＲＯＴＥＣＴ）は、書込み保護信号である。この信号はメモリカードに付属する書込み保護スイッチ３から供給される信号である。この信号が書込み保護状態を示しているときはメモリチップ１２に対する動作は禁止される。この信号の状態を本体から読み出すことができる。」（第２頁左上欄第１９行〜第３頁左上欄末行） 
　
Ｃ．「第４図は、書込み保護スイッチおよびインタフェースゲートアレイ
１１
　
Ｄ．「次に、第４図に示した書込み保護回路の動作を説明する。書込み保護スイッチ４１は、第１図に示すようにメモリカード側面に置かれ、（第１図３）、書込み許可状態と書込み禁止状態の２つの状態をもつ。スイッチ４１の出力は書込み保護信号（／ＷＰ（審決注：「／」は「ＷＰ」に付されたアッパーラインの代用表現として用いた。以下同様。））として書込み保護回路に入力される。・・・（中略）・・・
従って、書込み保護スイッチ４１が書込み禁止状態のときはメモリ書込み信号（／ＷＥ）は出力されず、データ処理装置が誤ってメモリへの書込み動作を行なっても書込み保護スイッチによってメモリへの書込みを禁止することができる。」（第４頁右下欄第９行〜第５頁左上欄第９行） 
　
Ｅ．「（３）メモリカード上の書込み保護スイッチの状態を本体から読み出すことにより書込み可能かどうかをあらかじめ知ることができる。」（第５頁右上欄第２〜４行） 
　
　上記Ａ〜Ｅの記載及び関連する図面を参照すると、引用例１には、次の発明が記載されているものと認められる。（以下、「引用例１記載の発明」という。）
「データ処理装置から送信されるデータを記憶するメモリカードにおいて、
　上記データ処理装置から送信されたデータを記憶するメモリチップと、
　上記メモリチップへのデータの書込を禁止するか否か設定可能な書込み保護スイッチと、
　上記データ処理装置から送信される信号に応じて所定の制御を行う制御回路が内蔵されるインタフェースゲートアレイとを備え、
　上記書込み保護スイッチの状態が書込禁止状態に設定されていること、又は書込禁止状態に設定されていないことを示す信号の状態は、上記データ処理装置から読み出すことが可能であり、
　上記書込み保護スイッチが書込禁止に設定されている場合には、上記インタフェースゲートアレイに内蔵される書込み保護回路により上記メモリチップに対する書込禁止処理が行なわれ、
　上記書込み保護スイッチが書込禁止に設定されていない場合には、上記データ処理装置から上記メモリチップに書き込むデータを受信し、上記データ処理装置から上記データを上記メモリチップに書き込ませるための信号（ＷＲ）を受信し、上記データを上記メモリチップに書き込む処理を行うメモリカード。」
　
（引用例２）
Ｆ．「【０００１】
【産業上の利用分野】この発明は、例えばメモリカード等の記憶媒体に商品情報を書込む商品情報登録装置等のデータ書込み装置に関する。
【０００２】
【従来の技術】例えば、商品の重量を計量して商品の値段を算出すると共に販売商品情報の登録を行う電子料金秤において、メモリカードにその販売商品情報を記憶させるものが知られている。
【０００３】このような電子料金秤においては、商品の計量を行って販売商品情報の登録を行い、キーボードにより書込みの指示を行なうと、メモリカードにその販売商品情報が書込まれる。また、必要に応じてそのメモリカードから販売商品情報が読み取られる。
【０００４】
【発明が解決しようとする課題】しかし、従来の電子料金秤等のメモリカードに販売商品情報を書込む装置においては、単に販売商品情報を書込むだけなので、まだ保存しておかなければならない販売商品情報が記憶されたメモリカードを誤ってメモリカードＲ／Ｗ（リーダ／ライタ）にセットしてしまうと、新たに登録された販売商品情報が書込まれてしまうために、保存しておかなければならない販売商品情報が消去されてしまうという問題があった。
【０００５】そこでこの発明は、保存しておきたい情報が記憶されたメモリカード等の記憶媒体への新たな情報の書込みを禁止でき、保存しておきたい情報が消去されてしまうことを防止できるデータ書込み装置を提供することを目的とする。
【０００６】
【課題を解決するための手段】この発明は、商品に関する販売情報等を記憶するエリアと書込み防止情報エリアとが設けられた記憶媒体に対して情報の書込みを行う書込み手段と、この書込み手段により記憶媒体に情報の書込みが行われたときに、書込み防止情報エリアに書込み防止を示すデータを設定する書込み防止設定手段と、書込み手段による記憶媒体に情報の書込みを行うときに、書込み防止情報エリアに書込み防止を示すデータが設定されているか否かを判断する判断手段と、この判断手段により書込み防止情報エリアに書込み防止を示すデータが設定されていると判断されたときに、書込み手段による記憶媒体に対する情報の書込みを禁止する書込み制御手段とを設けたものである。」
　
Ｇ．「【０００９】
【実施例】以下、この発明の一実施例を図面を参照して説明する。なおこの実施例は、この発明をメモリカード対応の電子料金秤に適用したもので、図１は、この電子料金秤の要部回路構成のブロック図で、１は制御部本体を構成するＣＰＵ（cen-tral processing unit）である。このＣＰＵ１が行う処理のプログラムデータが記憶されたＲＯＭ（read only memory）２及び前記ＣＰＵ１が処理を行うときに使用する各種メモリのエリアが形成されると共に商品毎に商品情報が記憶されたＰＬＵファイル等のデータが記憶されたＲＡＭ（random access memory）３は、システムバス４を介して前記ＣＰＵ１と接続されている。
【００１０】記憶媒体としてのメモリカード５ａに対して情報の書込み及び読取りを行う書込み手段としてのメモリカードＲ／Ｗ（リーダ／ライタ）５は、前記ＣＰＵ１と前記システムバス４を介して接続されたメモリカードＩ／Ｆ（interface ）６に接続されている。なお前記メモリカード５ａには、図２に示すような３２バイト構成のチェック領域５ａ１が設けられいる。このチェック領域５ａ１は、・・・（中略）・・・バイト番号Ｂには書込み防止情報エリアとしての書込み防止フラグｅ等から構成されている。」
　
Ｈ．「【００１２】・・・（中略）・・・図３に、SAVEキーが押下されたときに、前記ＣＰＵ１が行うメモリカード書込処理の流れを示す。
　・・・（中略）・・・
（判断手段）
【００１５】書込み防止フラグｅに「１」が設定されていなければ、すなわち「０」が設定されていれば、メモリカード５ａへ所定の情報の書込みを行う。この書込みが終了すると、この書込みが正常終了したか否かを判断する。正常終了しなければエラー表示を行いクリアキーの入力待ちとなり、クリアキーが入力されるとこのメモリカード書込処理を終了するようになっている。またメモリカード５ａへの所定の情報の書込みが正常終了すれば、書込み防止フラグｅを「１」に設定して（書込み防止設定手段）、このメモリカード書込処理を終了するようになっている。
【００１６】また書込み防止フラグｅに「１」が設定されていれば、エラー表示を行いクリアキーの入力待ちとなり（書込み制御手段）、クリアキーが入力されると、次にクリアキーか又は＊キーのいずれか一方の入力待ちとなる。ここでクリアキーが入力されれば書込み防止フラグを「０」に設定して、このメモリカード書込処理を終了するようになっている。また、＊キーが入力されればこのまま、このメモリカード書込処理を終了するようになっている。
【００１７】このような構成の本実施例においては、メモリカード５ａに設けられたチェック領域５ａ１には、書込み防止フラグｅが形成されており、このメモリカード５ａに所定の情報を書込む場合には、まずメモリカード５ａについて書込み可能か否かが判断され、さらにメモリカード５ａに備えられている電源に異常があるか否かが判断される。
【００１８】次に書込み防止フラグｅに「１」が設定されているか否かを判断し、書込み防止フラグｅが「１」に設定されていれば、エラー表示を行うようになっており、メモリカード５ａへの書込みが行われない、また書込み防止フラグｅが「１」に設定されていなければ、すなわち「０」に設定されていれば、メモリカード５ａに所定の情報の書込みが行われ、その書込みが終了すると、書込み防止フラグｅに「１」が設定される。」
　
　上記Ｆ〜Ｈの記載及び関連する図面を参照すると、引用例２には、次の発明が記載されているものと認められる。（以下、「引用例２記載の発明」という。）
「データ書込み装置及び該データ書込み装置から送信されるデータを記憶するメモリカードよりなるシステムにおいて、
　上記メモリカードに、書込み防止情報エリアとしての書込み防止フラグｅを設け、
　上記データ書込み装置は、上記書込み防止フラグｅの内容を判断し、上記書込み防止フラグｅに「１」が設定されていれば、メモリカードへの書込みを行わず、上記書込み防止フラグｅに「０」が設定されていれば、メモリカードに所定の情報の書込みを終了するまで行うようにすること。」
　
（３）対比
　本願補正発明と引用例１記載の発明とを対比すると、引用例１記載の発明における「データ処理装置」、「メモリチップ」、「書込み保護スイッチ」、インタフェースゲートアレイに内蔵される「制御回路」は、それぞれ、本願補正発明における「制御装置」、「記憶手段」、「スイッチ」、「制御手段」に対応する構成であるから、両者は、
「制御装置から送信されるデータを記憶するメモリカードにおいて、
　上記制御装置から送信されたデータを記憶する記憶手段と、
　上記記憶手段へのデータの書込を禁止するか否か設定可能なスイッチと、
　所定の制御を行う制御手段とを備え、
　上記スイッチが書込禁止に設定されている場合には、書込禁止処理が行なわれ、
　上記スイッチが書込禁止に設定されていない場合には、上記制御装置から上記記憶手段に書き込むデータを受信し、上記データを上記記憶手段に書き込む処理を行うメモリカード。」
である点で一致し、次の点で相違する。
　
　相違点１：「制御手段」が、本願補正発明においては、制御装置から送信される「命令」に応じて所定の制御を行うものであるのに対し、引用例１記載の発明においては、データ処理装置から送信される「信号」に応じて所定の制御を行うとされているものの、「命令」に応じて所定の制御を行うとはされていない点。
　
　相違点２：本願補正発明においては、「制御手段は、スイッチの状態が書込禁止状態に設定されていること、又は書込禁止状態に設定されていないことを示す内容がセットされるレジスタを有し、制御装置からファイルの記録開始前に発行される上記スイッチの状態を読み出す状態読出命令に応じて、上記スイッチの状態を示す上記レジスタの内容を上記制御装置に送信」するようにしているのに対し、引用例１記載の発明においては、「書込み保護スイッチの状態が書込禁止状態に設定されていること、又は書込禁止状態に設定されていないことを示す信号の状態は、データ処理装置から読み出すことが可能」であることに止まる点。
　
　相違点３：「スイッチが書込禁止に設定されている場合」に行なわれる「書込禁止処理」が、本願補正発明においては、「制御装置から記憶手段に書き込むデータが送信され」ないことにより行われるのに対し、引用例１記載の発明においては、「インタフェースゲートアレイに内蔵される書込み保護回路により」行われる点。
　
　相違点４：「スイッチが書込禁止に設定されていない場合」に行なわれる「データを記憶手段に書き込む処理」が、本願補正発明においては、制御装置からデータを記憶手段に書き込む「命令」を受信することにより行われるのに対し、引用例１記載の発明においては、データ処理装置から上記データを上記メモリチップに書き込ませるための「信号（ＷＲ）」を受信することにより行われる点。
　
　相違点５：本願補正発明においては、「制御装置から送信されるデータが記憶手段に書き込まれた後続きのデータがあるときは、スイッチの状態を確認することなく、該続きのデータが上記制御装置から送信される」のに対し、引用例１においては、そのような動作がなされるのかが明らかでない点。
　
（４）判断
　そこで、上記相違点１〜５について検討する。
　
（相違点１について）
　一般に、外部の制御装置との間でやりとりを行うメモリカードにおいて、該メモリカード内の制御手段が、外部の制御装置から送信される「命令」（コマンド）に応じて所定の制御を行うようにすることは、周知技術（必要であれば、例えば、特開平７−２００７６３号公報、特開平７−１２９７３６号公報、特開平７−１０５３３４号公報等を参照されたい。）にすぎない。
　よって、引用例１記載の発明において、メモリカード内の制御手段を、データ処理装置から送信される「命令」に応じて所定の制御を行うようなものとすることは、当業者が適宜に設計できる事項にすぎないものと認められる。
　
（相違点２について）
　メモリカードを書込禁止状態にする場合、メモリカード内に書込禁止とするための電子的情報を設定するようにすることは、上記引用例２記載の発明において「書込み防止フラグｅ」を設定していることに見られるような周知技術にすぎない。
　よって、引用例１記載の発明において、メモリカード内の制御手段に、スイッチの状態が書込禁止状態に設定されていること、又は書込禁止状態に設定されていないことを示す内容がセットされるレジスタを設けるようにすることは、上記引用例２記載の発明に見られる周知技術を適用することにより、当業者が適宜になし得ることにすぎないものと認められる。
　また、引用例１記載の発明においては、「書込み保護スイッチの状態が書込禁止状態に設定されていること、又は書込禁止状態に設定されていないことを示す信号の状態は、データ処理装置から読み出すことが可能」であるとしかされていないが、上記相違点１でも検討したように、一般に、外部の制御装置との間でやりとりを行うメモリカードにおいて、該メモリカード内の制御手段が、外部の制御装置から送信される「命令」（コマンド）に応じて所定の制御を行うようにすることは周知技術にすぎないから、上記レジスタの内容を制御装置からの「状態読出命令」に応じて制御装置に送信するようにすることも、当業者が適宜に設計できる事項にすぎない。
　さらに、上記「状態読出命令」を「制御装置からファイルの記録開始前に」発行するようにすることについても、メモリーカードにおけるファイル単位の操作を、その操作を実際に行う前にスイッチ状態が操作を行ってもよいことを示しているかどうかを判断してから行うようにする技術が周知技術（必要であれば、例えば、特開平７−２９６４９０号公報の段落【００３０】〜【００３４】の記載に見られるファイル消去における技術等を参照されたい。）にすぎないことから、当業者が適宜に設計できる事項にすぎない。
　よって、引用例１記載の発明において、「制御手段は、スイッチの状態が書込禁止状態に設定されていること、又は書込禁止状態に設定されていないことを示す内容がセットされるレジスタを有し、制御装置からファイルの記録開始前に発行される上記スイッチの状態を読み出す状態読出命令に応じて、上記スイッチの状態を示す上記レジスタの内容を上記制御装置に送信」するようなものとすることは、当業者が適宜に設計できる事項にすぎないものと認められる。
　
（相違点３について）
　引用例１記載の発明は、引用例１の上記Ｄの記載によれば、「データ処理装置が誤ってメモリへの書込み動作を行なっても書込み保護スイッチによってメモリへの書込みを禁止することができる」ものであり、また、引用例１の上記Ｅの記載によれば、「メモリカード上の書込み保護スイッチの状態を本体から読み出すことにより書込み可能かどうかをあらかじめ知ることができる」ものである。
　してみれば、引用例１記載の発明においては、データ処理装置が「誤って」メモリへの書込み動作を行なおうとしても書込み保護回路の動作により書込みが禁止されるので安全性が高められてはいるが、そもそも、「メモリカード上の書込み保護スイッチの状態」が「書込み可能」を示しているかどうかをデータ処理装置側があらかじめ知ることができるのであるから、その知り得た情報を基に「メモリカード上の書込み保護スイッチの状態」が「書込み可能」でないことを示しているときは書込み動作を行なわないようにするということは、ごく自然な発想である。
　よって、引用例１記載の発明において、「スイッチが書込禁止に設定されている場合」に行なわれる「書込禁止処理」を、データ処理装置側があらかじめ知った情報に基づいて、メモリチップに書き込むデータを送信しないことにより行われるようにすることは、当業者が適宜に設計できる事項にすぎないものと認められる。
　
（相違点４について）
　上記相違点１でも検討したように、一般に、外部の制御装置との間でやりとりを行うメモリカードにおいて、該メモリカード内の制御手段が、外部の制御装置から送信される「命令」（コマンド）に応じて所定の制御を行うようにすることは周知技術にすぎないから、引用例１記載の発明において、「スイッチが書込禁止に設定されていない場合」に行なわれる「データを記憶手段に書き込む処理」を、制御装置からデータを記憶手段に書き込む「命令」を受信することにより行われるものとすることは、当業者が適宜に設計できる事項にすぎないものと認められる。
　
（相違点５について）
　上記引用例２記載の発明は、書込み防止フラグｅに「０」が設定されていれば、メモリカードに所定の情報の書込みを「終了するまで」行うようにするものである。
　ここで、メモリカードに所定の情報の書込みを「終了するまで」行うということは、書込み防止フラグｅに「０」が設定されていることの判断は最初に行って、その後のデータの書込みは「終了するまで」引き続き行うものであると解される。
　してみれば、引用例１記載の発明において、上記引用例２記載の発明を参酌することにより、「制御装置から送信されるデータが記憶手段に書き込まれた後続きのデータがあるときは、スイッチの状態を確認することなく、該続きのデータが上記制御装置から送信される」ようなものとすることは、当業者が適宜に設計できる事項にすぎないものと認められる。
　
　そして、本願補正発明の構成によってもたらされる効果も、引用例１，２に記載の発明、及び上記周知技術から当業者ならば容易に予測することができる程度のものであって、格別のものとはいえない。
　したがって、本願補正発明は、引用例１，２に記載の発明、及び上記周知技術に基いて、当業者が容易に発明をすることができたものであるから、特許法第２９条第２項の規定により、特許出願の際独立して特許を受けることができないものである。
　
（５）むすび
　よって、本件手続補正は、特許法第１７条の２第５項で準用する同法第１２６条第５項の規定に違反するものであり、特許法第１５９条第１項で準用する同法第５３条第１項の規定により却下されるべきものである。
　
３．補正却下の決定を踏まえた検討
（１）本願発明
　平成１６年８月１６日付けの手続補正は、上記のとおり却下されたので、本願の請求項１に係る発明は、平成１５年５月１９日付け手続補正書の特許請求の範囲の請求項１に記載されたとおりの次のものと認める。（以下、「本願発明」という。）
「制御装置から送信されるデータを記憶するメモリカードにおいて、
　上記制御装置から送信されたデータを記憶する記憶手段と、
　上記記憶手段へのデータの書込を禁止するか否か設定可能なスイッチと、
　上記制御装置から送信される命令に応じて所定の制御を行う制御手段とを備え、
　上記制御手段は、上記スイッチの状態が書込禁止状態に設定されていること、又は書込禁止状態に設定されていないことを示す内容がセットされるレジスタを有し、上記制御装置からデータの書込命令の前に発行される上記スイッチの状態を読み出す状態読出命令に応じて、上記スイッチの状態を示す上記レジスタの内容を上記制御装置に送信し、
　上記スイッチが書込禁止に設定されている場合には、上記制御装置から上記記憶手段に書き込むデータが送信されず書込禁止処理が行なわれ、
　上記スイッチが書込禁止に設定されていない場合には、上記制御装置から上記記憶手段に書き込むデータを受信し、上記制御装置から上記データを上記記憶手段に書き込む命令を受信し、上記データを上記記憶手段に書き込む処理を行うことを特徴とするメモリカード。」　
　
（２）引用例
　これに対して、原査定の拒絶の理由に引用された引用例１，２及びその記載事項は、上記２．（２）に記載したとおりである。
　
（３）対比・判断
　本願発明は、上記２．で検討した本願補正発明における「スイッチの状態を読み出す状態読出命令」の発行される時期の「ファイルの記録開始前」との限定を省き、また、「制御装置から送信されるデータ」に関し、「上記制御装置から送信されるデータが上記記憶手段に書き込まれた後続きのデータがあるときは、スイッチの状態を確認することなく、該続きのデータが上記制御装置から送信される」との限定を省くものである。
　そうすると、本願発明の構成要件を全て含み、特定の限定を施したものに相当する本願補正発明が、上記２．（４）に記載したとおり、引用例１，２に記載の発明、及び周知技術に基いて、当業者が容易に発明をすることができたものであるから、本願発明も、同様の理由により、引用例１，２に記載の発明、及び周知技術に基いて、当業者が容易に発明をすることができたものである。
　
（４）むすび
　以上のとおり、本願発明は、引用例１，２に記載の発明、及び周知技術に基いて、当業者が容易に発明をすることができたものであるから、特許法第２９条第２項の規定により特許を受けることができない。
　よって、結論のとおり審決する。